【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
複数の第１のバヨネット爪部と規制部とを有するカメラマウントに対して着脱可能なレンズマウントであって、
前記複数の第１のバヨネット爪部と係合可能な複数の第２のバヨネット爪部と、前記カメラマウントに前記レンズマウントが装着された際に前記規制部により規制される被規制部とを有し、
前記複数の第２のバヨネット爪部は、周方向において前記被規制部に隣接する第１及び第２の爪部と、周方向において該第１及び第２の爪部に対して前記被規制部とは反対側に配置された反対側爪部とを含み、
前記反対側爪部の中心と、前記第２の爪部の中心と、前記第１の爪部の中心と、前記被規制部の中心とを結ぶ四角形において、前記反対側爪部の中心を頂点とする内角をθ１０、前記第２の爪部の中心を頂点とする内角をθ２０、前記第１の爪部の中心を頂点とする内角をθ３０、前記被規制部の中心を頂点とする内角をθＬとするとき、
７５°≦θ１０≦１０５°
７５°≦θ２０≦１０５°
７５°≦θ３０≦１０５°
７５°≦θＬ≦１０５°
なる条件式を満足することを特徴とするレンズマウント。
【請求項２】
複数の第１のバヨネット爪部と規制部とを有するカメラマウントに対して着脱可能なレンズマウントであって、
前記複数の第１のバヨネット爪部と係合可能な複数の第２のバヨネット爪部と、前記カメラマウントに前記レンズマウントが装着された際に前記規制部により規制される被規制部とを有し、
前記複数の第２のバヨネット爪部は、周方向において前記被規制部に隣接する第１及び第２の爪部と、周方向において該第１及び第２の爪部に対して前記被規制部とは反対側に配置された反対側爪部とを含み、
前記反対側爪部の中心と、前記第２の爪部の中心と、前記第１の爪部の中心と、前記被規制部の中心とを結ぶ四角形において、前記反対側爪部の中心を頂点とする内角をθ１０、前記第２の爪部の中心を頂点とする内角をθ２０、前記第１の爪部の中心を頂点とする内角をθ３０、前記被規制部の中心を頂点とする内角をθＬとするとき、
６０°≦θ１０≦１００°
６０°≦θ２０≦１００°
６０°≦θ３０≦１００°
６０°≦θＬ≦１００°
なる条件式を満足することを特徴とするレンズマウント。
【請求項３】
６５°≦θ１０≦１００°
６５°≦θ２０≦１００°
６５°≦θ３０≦１００°
６５°≦θＬ≦１００°
なる条件式を満足することを特徴とする請求項２に記載のレンズマウント。
【請求項４】
７０°≦θ１０≦１００°
７０°≦θ２０≦１００°
７０°≦θ３０≦１００°
７０°≦θＬ≦１００°
なる条件式を満足することを特徴とする請求項２に記載のレンズマウント。
【請求項５】
前記θ１０、前記θ２０、前記θ３０、及び前記θＬのうち少なくとも一つが８５度以上９５度以下であることを特徴とする請求項１乃至４のいずれか一項に記載のレンズマウント。
【請求項６】
８５°≦θＬ≦９５°
なる条件式を満足することを特徴とする請求項１乃至５のいずれか一項に記載のレンズマウント。
【請求項７】
９０°≦θＬ≦９５°
なる条件式を満足することを特徴とする請求項１乃至５のいずれか一項に記載のレンズマウント。
【請求項８】
０．７５≦θ３０／θ２０≦１．２５
なる条件式を満足することを特徴とする請求項１乃至７のいずれか一項に記載のレンズマウント。
【請求項９】
０．８５≦θ３０／θ２０≦１．１５
なる条件式を満足することを特徴とする請求項１乃至７のいずれか一項に記載のレンズマウント。
【請求項１０】
０．９５≦θ３０／θ２０≦１．０５
なる条件式を満足することを特徴とする請求項１乃至７のいずれか一項に記載のレンズマウント。
【請求項１１】
前記レンズマウントの中心軸の方向視において、該中心軸及び前記被規制部の中心を通る線を基準線とし、前記第１の爪部の前記被規制部に近い側の端部及び前記中心軸を通る線と前記基準線とのなす角度をθ１、前記第２の爪部の前記被規制部に近い側の端部及び前記中心軸を通る線と前記基準線とのなす角度をθ２とするとき、
１．００≦θ１／θ２≦１．４０
なる条件式を満足することを特徴とする請求項１乃至１０のいずれか一項に記載のレンズマウント。
【請求項１２】
１．００≦θ１／θ２≦１．３５
なる条件式を満足することを特徴とする請求項１１に記載のレンズマウント。
【請求項１３】
前記レンズマウントの中心軸の方向視において、該中心軸及び前記被規制部の中心を通る線と前記反対側爪部とが重なることを特徴とする請求項１乃至１２のいずれか一項に記載のレンズマウント。
【請求項１４】
前記レンズマウントの中心軸の方向視において、該中心軸及び前記被規制部の中心を通る線を基準線とし、前記反対側爪部の前記第１の爪部の側の端部及び前記中心軸を通る線と前記基準線とのなす角度をθ３、前記反対側爪部の前記第２の爪部の側の端部及び前記中心軸を通る線と前記基準線とのなす角度をθ４とするとき、
０．６≦θ３／θ４≦０．９
なる条件式を満足することを特徴とする請求項１乃至１３のいずれか一項に記載のレンズマウント。
【請求項１５】
０．６≦θ３／θ４≦０．８
なる条件式を満足することを特徴とする請求項１４に記載のレンズマウント。
【請求項１６】
前記レンズマウントの中心軸の方向視において、該中心軸及び前記被規制部の中心を通る線を基準線とし、前記第１の爪部の前記被規制部に近い側の端部及び前記中心軸を通る線と前記基準線とのなす角度をθ１、前記第２の爪部の前記被規制部に近い側の端部及び前記中心軸を通る線と前記基準線とのなす角度をθ２とするとき、
４０°＜θ１＜７０°
４０°＜θ２＜７０°
なる条件式を満足することを特徴とする請求項１乃至１５のいずれか一項に記載のレンズマウント。
【請求項１７】
前記レンズマウントの中心軸の方向視において、該中心軸及び前記被規制部の中心を通る線と直交しかつ前記中心軸を通る線は、前記第１及び第２の爪部の双方と重なることを特徴とする請求項１乃至１６のいずれか一項に記載のレンズマウント。
【請求項１８】
前記第１及び第２の爪部の間の切欠き部の周方向における寸法は、前記第１の爪部と前記反対側爪部との間の切欠き部及び前記反対側爪部と前記第２の爪部との間の切欠き部の夫々の周方向における寸法よりも大きいことを特徴とする請求項１乃至１７のいずれか一項に記載のレンズマウント。
【請求項１９】
前記複数の第１のバヨネット爪部は、周方向において前記規制部に隣接する第３及び第４の爪部を含み、
前記カメラマウントに当接した状態での前記レンズマウントの中心軸の方向視において、該中心軸及び前記規制部の中心を通る線を基準線とし、前記第１及び第３の爪部の互いに重なる領域における前記規制部に最も近い点及び前記中心軸を通る線と前記基準線とのなす角度の最小値をθ７、前記第２及び第４の爪部の互いに重なる領域における前記規制部に最も近い点及び前記中心軸を通る線と前記基準線とのなす角度の最小値をθ８とするとき、
０．７５≦θ７／θ８≦１．２５
なる条件式を満足することを特徴とする請求項１乃至１８のいずれか一項に記載のレンズマウント。
【請求項２０】
０．８０≦θ７／θ８≦１．２０
なる条件式を満足することを特徴とする請求項１９に記載のレンズマウント。
【請求項２１】
前記複数の第１のバヨネット爪部は、周方向において前記規制部に隣接する第３及び第４の爪部を含み、
前記カメラマウントに当接した状態での前記レンズマウントの中心軸の方向視において、該中心軸及び前記被規制部の中心を通る線を基準線とし、前記第１及び第３の爪部の互いに重なる領域における前記規制部に最も近い点及び前記中心軸を通る線と前記基準線とのなす角度の最小値及び最大値を各々θ７及びθ９、前記第２及び第４の爪部の互いに重なる領域における前記規制部に最も近い点及び前記中心軸を通る線と前記基準線とのなす角度の最小値をθ８とするとき、
９０°＜θ７＋θ８＜１８０°
９０°＜θ９＋θ８＜１８０°
なる条件式を満足することを特徴とする請求項１乃至２０のいずれか一項に記載のレンズマウント。
【請求項２２】
９０°＜θ７＋θ８＜１１０°
１４０°＜θ９＋θ８＜１７０°
なる条件式を満足することを特徴とする請求項２１に記載のレンズマウント。
【請求項２３】
前記複数の第１のバヨネット爪部は、周方向において前記規制部に隣接する第３及び第４の爪部を含み、
前記カメラマウントに当接した状態での前記レンズマウントの中心軸の方向視において、該中心軸及び前記被規制部の中心を通る線を基準線とし、前記第１及び第３の爪部の互いに重なる領域における前記規制部に最も近い点及び前記中心軸を通る線と前記基準線とのなす角度の最小値をθ７、前記第２及び第４の爪部の互いに重なる領域における前記規制部に最も近い点及び前記中心軸を通る線と前記基準線とのなす角度の最小値をθ８とするとき、
４５°≦θ７
４５°≦θ８
なる条件式を満足することを特徴とする請求項１乃至２２のいずれか一項に記載のレンズマウント。
【請求項２４】
前記複数の第１のバヨネット爪部は、周方向において前記規制部に隣接する第３及び第４の爪部と、周方向において該第３及び第４の爪部に対して前記規制部とは反対側に位置する第５の爪部とを含み、
前記カメラマウントに装着された状態での前記レンズマウントの中心軸の方向視において、前記第１及び第３の爪部の互いに重なる領域における両端部と、前記第２及び第４の爪部の互いに重なる領域における両端部と、前記反対側爪部及び前記第５の爪部の互いに重なる領域における両端部とを結ぶ六角形の辺のうち、前記規制部に最も近い辺が最も長いことを特徴とする請求項１乃至２３のいずれか一項に記載のレンズマウント。
【請求項２５】
前記複数の第１のバヨネット爪部は、周方向において前記規制部に隣接する第３及び第４の爪部と、周方向において該第３及び第４の爪部に対して前記規制部とは反対側に位置する第５の爪部とを含み、前記第３及び第４の爪部の間の切欠き部の周方向における寸法は、前記第３及び第５の爪部の間の切欠き部の周方向における寸法よりも大きいことを特徴とする請求項１乃至２４のいずれか一項に記載のレンズマウント。
【請求項２６】
前記複数の第１のバヨネット爪部は、周方向において前記規制部に隣接する第３及び第４の爪部と、周方向において該第３及び第４の爪部に対して前記規制部とは反対側に位置する第５の爪部とを含み、前記第３及び第４の爪部の間の切欠き部の周方向における寸法は、前記第４及び第５の爪部の間の切欠き部の周方向における寸法よりも大きいことを特徴とする請求項１乃至２５のいずれか一項に記載のレンズマウント。
【請求項２７】
前記第２の爪部の周方向における寸法は、前記第１の爪部の周方向における寸法よりも大きいことを特徴とする請求項１乃至２６のいずれか一項に記載のレンズマウント。
【請求項２８】
前記第２の爪部の周方向における寸法は、前記第反対側爪部の周方向における寸法よりも大きいことを特徴とする請求項１乃至２７のいずれか一項に記載のレンズマウント。
【請求項２９】
前記第２の爪部は、正位置において前記第１の爪部に対して重力方向の側に位置することを特徴とする請求項１乃至２８のいずれか一項に記載のレンズマウント。
【請求項３０】
請求項１乃至２９のいずれか一項に記載のレンズマウントと光学系とを備えることを特徴とするアクセサリ。
【請求項３１】
請求項１乃至２９のいずれか一項に記載のレンズマウントを備え、レンズ装置に対して着脱可能であることを特徴とするアクセサリ。
【請求項３２】
前記複数の第１のバヨネット爪部と前記規制部とを有し、請求項１乃至２９のいずれか一項に記載のレンズマウントに対して着脱可能であることを特徴とするカメラマウント。
【請求項３３】
請求項３２に記載のカメラマウントと撮像素子とを備えることを特徴とする撮像装置。
【手続補正２】
【補正対象書類名】明細書
【補正対象項目名】発明の名称
【補正方法】変更
【補正の内容】
【発明の名称】レンズマウント及びこれを装着可能なカメラマウント、撮像装置
【手続補正３】
【補正対象書類名】明細書
【補正対象項目名】０００１
【補正方法】変更
【補正の内容】
【０００１】
本発明は、レンズマウント及びこれを装着可能なカメラマウント、撮像装置に関する。
【手続補正４】
【補正対象書類名】明細書
【補正対象項目名】０００６
【補正方法】変更
【補正の内容】
【０００６】
そこで本発明は、カメラマウントに対してより安定して装着することが可能なレンズマウントを提供することを目的とする。
【手続補正５】
【補正対象書類名】明細書
【補正対象項目名】０００７
【補正方法】変更
【補正の内容】
【０００７】
上記目的を達成するために、本発明の一側面としてのアクセサリは、複数の第１のバヨネット爪部と規制部とを有するカメラマウントに対して着脱可能なレンズマウントであって、
前記複数の第１のバヨネット爪部と係合可能な複数の第２のバヨネット爪部と、前記カメラマウントに前記レンズマウントが装着された際に前記規制部により規制される被規制部とを有し、
前記複数の第２のバヨネット爪部は、周方向において前記被規制部に隣接する第１及び第２の爪部と、周方向において該第１及び第２の爪部に対して前記被規制部とは反対側に配置された反対側爪部とを含み、
前記反対側爪部の中心と、前記第２の爪部の中心と、前記第１の爪部の中心と、前記被規制部の中心とを結ぶ四角形において、前記反対側爪部の中心を頂点とする内角をθ１０、前記第２の爪部の中心を頂点とする内角をθ２０、前記第１の爪部の中心を頂点とする内角をθ３０、前記被規制部の中心を頂点とする内角をθＬとするとき、
７５°≦θ１０≦１０５°
７５°≦θ２０≦１０５°
７５°≦θ３０≦１０５°
７５°≦θＬ≦１０５°
なる条件式を満足することを特徴とする。
【手続補正６】
【補正対象書類名】明細書
【補正対象項目名】０００８
【補正方法】変更
【補正の内容】
【０００８】
本発明によれば、カメラマウントに対してより安定して装着することが可能なレンズマウントを提供することができる。